(57)【要約】【課題】比較的簡単な構成で、設定値の昇順と降順の双方向の切替選択を共通の操作で直感的に行うことができ、数値列の数値の選択と文字列の選択も行える伝送器を実現すること。【解決手段】表示部と、表示部の表示動作を切り替えるための外部から操作可能なスイッチと、測定信号を調整するための外部から操作可能なネジを備えた伝送器において、前記スイッチの操作により前記表示部に表示される設定項目が切替選択され、前記スイッチの操作後の前記ネジの回転操作に応じて前記スイッチで選択された設定項目の前記表示部に表示される設定値が変更され、前記ネジの回転操作後の前記スイッチの操作により前記ネジの回転操作で増減変更された設定値が確定することを特徴とするもの。【選択図】  図２
2014190715.tif 000002
【特許請求の範囲】
【請求項１】
表示部と、表示部の表示動作を切り替えるための外部から操作可能なスイッチと、測定信号を調整するための外部から操作可能なネジを備えた伝送器において、
前記スイッチの操作により前記表示部に表示される設定項目が切替選択され、
前記スイッチの操作後の前記ネジの回転操作に応じて前記スイッチで選択された設定項目の前記表示部に表示される設定値が変更され、
前記ネジの回転操作後の前記スイッチの操作により前記ネジの回転操作で増減変更された設定値が確定することを特徴とする伝送器。
【請求項２】
前記ネジの回転速度に応じて前記設定値の変更量を制御することを特徴とする請求項１記載の伝送器。
【請求項３】
前記ネジの回転方向に応じて前記設定値を増減変更することを特徴とする請求項１または請求項２記載の伝送器。
【請求項４】
前記スイッチと前記ネジは一体化されていることを特徴とする請求項１から請求項３のいずれかに記載の伝送器。
【発明の詳細な説明】
【技術分野】
【０００１】
本発明は、伝送器に関し、詳しくは、伝送器の属性情報などの設定入力の改善に関するものである。
【背景技術】
【０００２】
プロセス制御システムでは、プロセス配管系統の各部における圧力、温度、流量などの各種の測定物理量を電気信号に変換して計器室に伝送するために、それぞれに対応した各種の伝送器が用いられている。
【０００３】
これら伝送器には、初期設定、プラント操業中の保守点検作業、機器交換作業などにあたり、設置現場で他のツールを用いることなく伝送器単体で、伝送器固有の属性情報などを設定入力するための操作部が設けられたものがある。
【０００４】
図７は、従来の伝送器における操作部の概念例図である。図７（Ａ）の伝送器では表示部１の下部にスイッチを操作する２個の操作ボタン２、３が設けられていて、図７（Ｂ）の伝送器では表示部４の下部に３個の操作ボタン５〜６が設けられている。
【０００５】
図７（Ａ）の伝送器において、たとえば操作ボタン２には設定項目および設定値の選択機能が割り当てられ、操作ボタン３には操作ボタン２で切替選択された設定項目および設定値の決定機能が割り当てられている。
【０００６】
操作ボタン２を間欠的に押し下げることにより、設定項目の文字列を、たとえばアドレス→校正→単位→制動→表示→認証→終了→アドレス→・・・と循環するように順次切り替えることができる。表示部１には、操作ボタン２の押し下げに連動して、設定項目の文字列が順次切替表示される。
【０００７】
そして、操作ボタン３を押し下げると、その時点で操作ボタン２により選択されている設定項目が設定値の変更対象として決定され、決定された設定項目の設定値を所定の一方向（たとえば昇順方向）に切り替える変更モードに切り替わる。その後、表示部１には操作ボタン２の押し下げに連動して、その設定項目における設定値が順次切替表示される。
【０００８】
操作ボタン２を押し下げて所望の設定値を切替表示させた状態で操作ボタン３を押し下げると、その選択値が操作ボタン２により選択決定された設定項目の設定値として決定され、図示しない信号処理部に入力される。
【０００９】
なお、設定値として数値列を設定入力する場合には、桁ごとに操作ボタン２を押し下げて数値を選択し、操作ボタン３を押し下げて桁の移動を行う。
【００１０】
図７（Ｂ）の伝送器において、たとえば操作ボタン５には設定項目の選択機能が割り当てられ、操作ボタン６には設定値の昇順方向の選択機能が割り当てられ、操作ボタン７には設定値の降順方向の選択機能が割り当てられている。
【００１１】
操作ボタン５を間欠的に押し下げることにより、設定項目を、たとえば図７（Ａ）と同様にアドレス→校正→単位→制動→表示→認証→終了→アドレス→・・・と循環するように順次切り替えることができる。表示部４には、操作ボタン５の押し下げに連動して、設定項目が順次切替表示される。
【００１２】
表示部４に所望の設定項目が表示されている状態で操作ボタン６または操作ボタン７を押し下げると、その設定項目における設定値を切替選択できる。
【００１３】
操作ボタン６または操作ボタン７により所望の設定値を切替選択表示した状態で操作ボタン５を押し下げると、その選択値が設定値として決定され、図示しない信号処理部に入力される。
【００１４】
設定値として数値列を設定入力する場合には、操作ボタン６または操作ボタン７を押し下げて最下位の数値だけを変化させて、上位桁(十の位や百の位)を変化させる。
【００１５】
特許文献１には、複数の赤外線スイッチで設定を行う技術が記載されている。
【先行技術文献】
【特許文献】
【００１６】
【特許文献１】特開２０１３−０３０３４９号公報
【発明の開示】
【発明が解決しようとする課題】
【００１７】
しかし、図７（Ａ）の構成によれば、操作ボタン２は設定値を所定の一方向にしか順次切り替え変更できないため、所望の設定値を１つでも通り過ぎてしまうと後戻りできず、残りの選択肢を通過した後、もう一度、先頭から操作する必要がある。
【００１８】
たとえば１０個の選択肢から７番目を選択したい場合に、７番目を見過ごして８番目が切替表示されてしまうと、直ちに７番目には戻れない。８→９→１０→１→…→７と一巡操作する必要がある。このように先頭から再開するため、余計な作業工数がかかることになり、操作性が悪い。
【００１９】
また、数値列の数値の選択と文字列の選択とで、操作ボタン２および操作ボタン３の操作量が異なる。すなわち、設定項目の文字列は、操作ボタン２を押し下げるだけで所望の文字列を選択できるが、数値列の数値を設定する場合には、桁ごとに操作ボタン２で所望の数値を選択して操作ボタン３で桁の移動を行わなければならない。
【００２０】
一方、図７（Ｂ）の構成によれば、設定値の切替選択において、昇順と降順の双方向を実現するために操作ボタン６と操作ボタン７の２個を必要とし、設定値の切替選択という同じ機能でありながら１個の操作ボタンに統一できず、部品点数が増えることになる。
【００２１】
また、２個の操作ボタン６と７にそれぞれ個別に設定値選択の昇順方向と降順方向を割り当ててはいるものの、設定値の切替選択は昇順方向と降順方向のいずれも同様な操作ボタン６または操作ボタン７の押し下げ操作であり、操作が直感的ではない。
【００２２】
本発明は、これらの問題点を解決するものであり、その目的は、比較的簡単な構成で、設定値の昇順と降順の双方向の切替選択を共通の操作で直感的に行うことができ、数値列の数値の選択と文字列の選択も行える伝送器を実現することにある。
【００２３】
このような目的を達成するために、本発明のうち請求項１記載の発明は、
表示部と、表示部の表示動作を切り替えるための外部から操作可能なスイッチと、測定信号を調整するための外部から操作可能なネジを備えた伝送器において、
前記スイッチの操作により前記表示部に表示される設定項目が切替選択され、
前記スイッチの操作後の前記ネジの回転操作に応じて前記スイッチで選択された設定項目の前記表示部に表示される設定値が変更され、
前記ネジの回転操作後の前記スイッチの操作により前記ネジの回転操作で増減変更された設定値が確定することを特徴とする。
【００２４】
請求項２記載の発明は、請求項１記載の伝送器において、
前記ネジの回転速度に応じて前記設定値の変更量を制御することを特徴とする。
【００２５】
請求項３記載の発明は、請求項１または請求項２記載の伝送器において、
前記ネジの回転方向に応じて前記設定値を増減変更することを特徴とする。
【００２６】
請求項４記載の発明は、請求項１から請求項３のいずれかに記載の伝送器において、
前記スイッチと前記ネジは一体化されていることを特徴とする。
【発明の効果】
【００２７】
本発明の伝送器によれば、比較的簡単な構成で、設定値の昇順と降順の双方向の切替選択を共通の操作により直感的に行うことができるとともに、数値列の数値の選択と文字列の選択も行える。
【図面の簡単な説明】
【００２８】
【図１】本発明の一実施例を示す操作部の概念図である。
【図２】図１の内部機能ブロック図である。
【図３】図２に示す表示部８の表示状態遷移例図である。
【図４】図３の具体的な表示状態遷移例図である。
【図５】３つの設定項目の内部処理についての説明図である。
【図６】''LOCAL_OP_ENABLE''と''WRITE_LOCK''の有効化／無効化の組み合わせと設定動作の関係を示す説明図である。
【図７】従来の伝送器における操作部の概念例図である。
【発明を実施するための最良の形態】
【００２９】
図１は、本発明の一実施例を示す操作部の概念図である。図１において、表示部８の下部には図示しないスイッチを外部から操作するための第１操作部として機能する１個の操作ボタン９が設けられていて、操作ボタン９の下部には外部から零点調整を行うための第２操作部として機能する１個のネジ１０が設けられている。
【００３０】
図２は図１の内部機能ブロック図であり、図１の操作ボタン９とネジ１０の操作に基づいて動作する。操作ボタン９の押し下げ動作に連動して変化するスイッチの接点信号は操作検出部１１で検出され、選択制御部１２に入力される。
【００３１】
選択制御部１２は、２つの動作を実行する。１つ目はネジ１０の回転操作前において、操作検出部１１で検出される操作ボタン９の押し下げ動作に連動したスイッチの接点信号に基づき、設定項目文字列格納部１３に格納されている設定項目文字列を順次読み出し、表示部８の表示切替を含む形態で設定項目の切替選択を行う。
【００３２】
２つ目はネジ１０の回転操作後において、操作検出部１１で検出される操作ボタン９の押し下げ動作に連動したスイッチの接点信号に基づいて、ネジ１０の回転操作で増減変更された設定値の決定を行う。切替選択される設定項目文字列は、表示部８、選択制御部１５、設定項目演算処理部１６に入力される。
【００３３】
ネジ１０の回転操作に基づく回転動作は、たとえば公知のロータリーエンコーダで構成される操作検出部１４に伝達され、回転方向と回転速度が検出される。検出された回転方向と回転速度は、選択制御部１５に入力される。
【００３４】
選択制御部１５は、ネジ１０の回転操作が始まったら回転操作が始まったことを選択制御部１２に通知し、回転操作信号を設定項目演算処理部１６に入力する。
【００３５】
設定項目演算処理部１６は、操作ボタン９により切替選択される設定項目について、ネジ１０により増減変更され操作ボタン９により決定された設定値に基づく所定の演算処理を行い、演算結果を表示部８と設定値格納部１７に出力する。設定値格納部１７に格納された設定値は、設定項目演算処理部１６に読み出される。
【００３６】
図３は、図２に示す表示部８の表示状態遷移例図である。表示部８は、初期状態では設定項目１を表示している。この状態で操作ボタン９を１回押し下げると、表示部８の表示は設定項目２に切り替わる。以下同様に、操作ボタン９を１回押し下げることにより表示部８に表示される設定項目は順次切り替わり、設定項目ｉを経て設定項目ｎまで切り替わると一巡して初期状態の設定項目１に戻る一方向の循環サイクルを繰り返す。
【００３７】
たとえば操作ボタン９を１回押し下げて設定項目ｉに切り替わった状態における設定値決定動作を説明する。
１）ネジ１０を回転操作することにより、設定項目ｉに対応した所定の設定値が増減変更される。
２）所望の設定値に増減変更した状態で操作ボタン９を１回押し下げると、その設定値が変更された設定値として決定される。
３）操作ボタン９を１回押し下げると設定項目ｉ＋１に切り替わる。
【００３８】
図３の具体例を説明する。たとえば、設定項目を以下の３つとすると、表示部８の表示遷移は図４に示すようになる。
ａ）プロセス値１８→零点の調整
ｂ）Ident Number１９→Ident numberはPROFIBUS通信を行う際に必要となる情報の一つであって通信する機器を特定するために使用する
ｃ）Address２０→バスアドレスの設定であって一般的に通信を行う際に必要となる情報の一つで通信する機器を指定するために使用する
なお、設定項目において設定できる設定値は、離散値(Ident Number、Address)と連続値(零点)である。
【００３９】
表示部８の通常表示は、プロセス値１８である。このプロセス値表示状態でネジ１０を回転操作することにより、プロセス値１８の零点を増減変更できる。
【００４０】
プロセス値１８の表示状態で操作ボタン９を１回押し下げると、表示部８の表示はIdent Number１９に切り替わる。このIdent Number１９の表示状態でネジ１０を回転操作することにより、Ident Numberを変更できる。ネジ１０を回転操作後に操作ボタン９を１回押し下げると、変更したIdent Numberが確定する。
【００４１】
Ident Number１９の表示状態で操作ボタン９を１回押し下げると、表示部８の表示はAddress２０に切り替わる。このAddress２０の表示状態でネジ１０を回転操作すると、Addressを変更できる。ネジ１０を回転操作後に操作ボタン９を１回押し下げると、変更したAddressが確定する。
【００４２】
Address２０の表示状態で操作ボタン９を１回押し下げると、表示部８の表示は通常のプロセス値１８の表示状態に戻る。
【００４３】
これらプロセス値１８とIdent Number１９およびAddress２０よりなる３つの設定項目の内部処理について説明する。図５（Ａ）に示すように、内部処理におけるこれら３つの設定項目は互いに独立していて、関連性を持たずに閉じている。すなわち、プロセス値１８の処理がIdent Number１９およびAddress２０の処理に影響を与えることはなく、Ident Number１９の処理がAddress２０およびプロセス値１８の処理に影響を与えることはなく、Address２０の処理がプロセス値１８およびIdent Number１９の処理に影響を与えることはない。
【００４４】
内部処理の切り替えに同期して、表示部８の表示が切り替わる。すなわち、プロセス値１８の内部処理を選択した場合はプロセス値１８を表示し、Ident Number１９の内部処理を選択した場合はIdent Number１９を表示し、Address２０の内部処理を選択した場合はAddress２０を表示する。
【００４５】
内部処理にあたっては、ラベルとして個別に整数値を割り当てる。たとえば、プロセス値１８には０を割り当て、Ident Number１９には１を割り当て、Address２０には２を割り当てる。
【００４６】
上記のように割り当てたラベルの整数値を用いて内部処理を選択する。たとえば、整数値０を選択した場合はプロセス値１８の内部処理を選択し、整数値の１を選択した場合はIdent Number１９の内部処理を選択し、整数値の２を選択した場合はAddress２０の内部処理を選択する。
【００４７】
ラベルの整数値を用いて内部処理を選択した状態で操作ボタン９を１回押し下げると、ラベルの整数値が１インクリメントされる。たとえば、整数値が０の場合に操作ボタン９を１回押し下げると整数値は１にインクリメントされ、整数値が１の場合に操作ボタン９を１回押し下げると整数値は２にインクリメントされ、整数値が２の場合に操作ボタン９を１回押し下げると整数値は３にインクリメントされる。ただし、整数値が３の場合には内部処理が割り当てられていないため整数値を0に戻す。
【００４８】
また、ラベルの整数値に基づき、現在選択している内部処理を把握する。
【００４９】
図５（Ｂ）は、図５（Ａ）のプロセス値１８の内部処理状態遷移図である。初回遷移先は、圧力演算２１である。圧力演算２１では、取得した圧力を演算処理する。圧力演算２１において、ネジ１０を操作すると、ネジ１０の操作量に応じた調整量２２が圧力演算２１に反映される。ネジ１０を操作しない場合には、圧力演算２１に遷移する。
【００５０】
表示部８に表示される圧力演算２１は、調整量２２が自動で反映されたものである。ネジ１０を操作するたびに、調整量２２は、表示部８の表示ではなく内部データの設定として、圧力演算２１に自動で反映される。
【００５１】
調整量は、ネジ１０をたとえば時計回りに回すと正の実数となり、反時計回りに回すと負の実数となる。
【００５２】
図５（Ｃ）は、図５（Ａ）のIdent Number１９とAddress２０の状態遷移図である。
はじめに、状態遷移を説明する。
初回遷移先は、待機２３である。待機２３では、操作ボタン９の押し下げとネジ１０操作に基づく２つの入力を待つ。
【００５３】
待機２３を起点とする遷移は、以下のようになる。
１）操作ボタン９を押し下げず、かつ、ネジ１０を操作しない限り、待機２３に遷移する。
２）操作ボタン９を押し下げると現在の設定項目を終了し、次の設定項目に遷移する。
３）ネジ１０を操作すると選択２４に遷移する。
【００５４】
選択２４では、設定したい値を選択する。
１）Ident Number１９では、選択肢から設定したいIdent Numberを選択する。
２）Address２０では、選択肢から設定したいAddressを選択する。
【００５５】
選択２４を起点とする遷移は、以下のようになる。
１）操作ボタン９を押し下げない限り、選択２４に遷移する。
２）ネジ１０を操作することにより、選択肢を順／逆方向で選択できる。
３）ネジ１０をたとえば時計回りに回すと順方向選択になり、反時計回りに回すと逆方向選択になる。
４）操作ボタン９を押し下げると決定２５に遷移する。
【００５６】
決定２５では、選択２４で選択した値を、設定値として内部データに反映させる。
【００５７】
決定２５を起点とする遷移は、以下のようになる。
１）内部データに反映後、再起動処理が必要な場合は、再起動２６へ遷移する。
２）Address２０では、内部データに設定値を反映した後に、再起動２６に遷移する。
３）内部データに反映後、再起動処理が不要な場合は、待機２３へ遷移する。
４）Ident Number１９では、内部データに設定値を反映した後、待機２３に遷移する。
【００５８】
再起動２６では、伝送器を再起動する。
【００５９】
次に、状態遷移管理について説明する。
内部処理は、非編集中２７と編集中２８の２段階で構成される。
非編集中２７は待機２３を包含し、編集中２８は選択２４と決定２５と再起動２６を包含する。
【００６０】
非編集中２７と編集中２８との遷移は以下の３系統のみであり、非編集中２７から編集中２８へ遷移しない限り、選択２４と決定２５と再起動２６の処理は実行されない。
１）待機２３→選択２４
２）決定２５→待機２３
【００６１】
次に、誤設定防止策について説明する。
図示しない設定ツールを使用して、''LOCAL_OP_ENABLE''の機能を無効化することにより、一括で、ボタン操作とネジ操作は無効化される。''LOCAL_OP_ENABLE''の機能を無効化している状況下における、操作ボタン９を押し下げた場合とネジ１０を操作した場合の動作を説明する
【００６２】
＜Ａ．操作ボタン９を押し下げた場合＞
待機２３にいる場合の動作は、以下のようになる。
１）操作ボタン９を押し下げても操作量を受け付けない。
２）表示部８に、操作できないことを意味するメッセージ「FAILED」を表示する。
３）「FAILED」を表示後、プロセス値１８に遷移する。
【００６３】
選択２４にいる場合の動作は、以下のようになる。
１）操作ボタン９を押し下げても操作量を受け付けない。
２）表示部８に、操作できないことを意味するメッセージ「FAILED」を表示する。
３）選択２４での操作は無効化され、決定２５ヘは遷移しない。
４）待機２３へ遷移する。
５）待機２３へ遷移後、プロセス値１８に遷移する。
【００６４】
＜Ｂ．ネジ１０を操作した場合＞
待機２３にいる場合の動作は、以下のようになる。
１）ネジ１０を操作しても操作量を受け付けない。
２）表示部８に、操作できないことを意味するメッセージ「FAILED」を表示する。
３）選択２４ヘは遷移しない。
４）待機２３へ遷移する。
【００６５】
選択２４にいる場合の動作は、以下のようになる。
１）ネジ１０を操作しても操作量を受け付けない。
２）表示部８に、操作できないことを意味するメッセージ「FAILED」を表示する。
３）選択２４での操作は無効化される。
４）待機２３へ遷移する。
【００６６】
図示しない設定ツールを使用して、''WRITE_LOCK''の機能を有効化することにより、書込み操作は無効化される。ただし、零点調整は例外とし書込み操作を有効化する。このとき、表示器に、設定できないことを意味するメッセージ(鍵マーク)を表示する。''WRITE_LOCK''の機能を有効化している状況下における、操作ボタン９を押し下げた場合とネジ１０を操作した場合の動作を説明する。
【００６７】
＜Ａ．操作ボタン９を押し下げた場合＞
待機２３にいる場合の動作は、以下のようになる。
１）次の内部処理に切り替える。
【００６８】
選択２４にいる場合の動作は、以下のようになる。
１）操作ボタン９を押し下げても操作量を受け付けない。
２）表示部８に、操作できないことを意味するメッセージ「FAILED」を表示する。
３）選択２４での操作は無効化され、決定２５ヘは遷移しない。
４）待機２３へ遷移する。
【００６９】
＜Ｂ．ネジ１０を操作した場合＞
待機２３にいる場合の動作は、以下のようになる。
１）ネジ１０を操作しても操作量を受け付けない。
２）表示部８に、操作できないことを意味するメッセージ「FAILED」を表示する。
３）選択２４ヘは遷移しない。
４）待機２３へ遷移する。
【００７０】
選択２４にいる場合の動作は、以下のようになる。
１）ネジ１０を操作しても操作量を受け付けない。
２）表示部８に、操作できないことを意味するメッセージ「FAILED」を表示する。
３）選択２４での操作は無効化される。
４）待機２３へ遷移する。
【００７１】
書き込み操作を実行できる場合について説明する。
決定２５へ遷移できる条件は、以下の２つである。
１）''LOCAL_OP_ENABLE''が有効化されている。
２）''WRITE_LOCK''が無効化されている。
【００７２】
決定２５へ遷移し、内部データへの反映を完了した場合、表示部８に、書込み操作を完了したことを意味するメッセージ「SAVED」を表示する。
【００７３】
決定２５へ遷移したものの選択２４で選択した値が前回値と同じ場合は、以下の動作をする。
１）内部データへは反映しない。
２）「SAVED」表示はしない。
これらの動作は、書込み操作の中止として使う。
【００７４】
図６は、上記の''LOCAL_OP_ENABLE''と''WRITE_LOCK''の有効化／無効化の組み合わせと設定動作の関係を示す説明図である。
ａ）''LOCAL_OP_ENABLE''→有効化、''WRITE_LOCK''→無効化／操作可能・設定可能
（操作ボタン９を用いた設定値の確認が可能だが、ネジ１０を用いた設定は不可能）
ｂ）''LOCAL_OP_ENABLE''→有効化、''WRITE_LOCK''→有効化／操作可能・設定不可能
（操作ボタン９を用いた設定値の確認が可能だが、ネジ１０を用いた設定は不可能
ただし、零点調整は例外としネジ１０を用いた設定は可能）
ｃ）''LOCAL_OP_ENABLE''→無効化、''WRITE_LOCK''→無効化／操作不可能・設定可能
（操作ボタン９とネジ１０を用いた設定値の確認と設定の両方が不可能）
ｄ）''LOCAL_OP_ENABLE''→無効化、''WRITE_LOCK''→有効化／操作不可能・設定不可能
（操作ボタン９とネジ１０を用いた設定値の確認と設定の両方が不可能）
【００７５】
図５（Ｂ）において連続値を選択する場合のネジ１０の操作量について説明する。
連続値および調整量２２は実数値であり、ネジ１０の回転数は整数値である。ある期間において検出したネジ１０の回転数に基づいて、たとえば以下のような変化率を割り当てる。
【００７６】
＜プロセス値１８の場合＞
１）回転数０→変化率０．００％
２）回転数１→変化率０．０１％
３）回転数２→変化率０．０３％
４）回転数３→変化率０．４０％
５）回転数４→変化率１．５０％
６）回転数５→変化率４．００％
７）回転数６→変化率１０．００％
８）回転数７以上→変化率１０．００％
【００７７】
調整量２２は、これら変化率を基に算出した値である。回転数が少ないと小さな変化率になることから微調整を行うことができ、回転数が多いと大きな変化率になることから粗調整を行うことができる。
【００７８】
図５（Ｃ）において離散値を選択する場合のネジ１０の操作量について説明する。
離散値、選択２４の選択肢およびネジ１０の回転数はいずれも整数値である。ある期間において検出したネジ１０の回転数に基づいて以下のような変化量を割り当てる。
【００７９】
＜Ident Number１９の場合＞
１）回転数０→変化量０
２）回転数１→変化量１
３）回転数２以上→変化量１
【００８０】
＜Address２０の場合＞
１）回転数０→変化量０
２）回転数１→変化量１
３）回転数２→変化量１０
４）回転数３以上→変化量１０
【００８１】
ネジ１０を操作する前の選択肢である整数値に上記の変化量を加算し、算出した整数値が新しい選択肢となる。
【００８２】
整数値と表示部８に表示される文字列の対応について説明する。
Ident Number１９において、Ident Numberの設定可能な範囲は０〜８の整数値である。表示部８に表示される以下のような各文字列にラベルとして個別に整数値を割り当てる。
【００８３】
１）「４５８０」→０
２）「４５８１」→１
３）「９７００」→２
４）「９７０１」→３
５）「９７０２」→４
６）「９７４０」→５
７）「９７４１」→６
８）「９７４２」→７
９）「ＡＵＴＯ」→８
【００８４】
ここで、前述において算出した整数値を、文字列に割り当てられた整数値、すなわちラベルとする。たとえば算出した整数値が４であれば、Ident Numberとして、整数値の４が割り当てられている「９７０２」を選択したことになる。
【００８５】
なお、前述において算出した整数値が範囲外の場合は補正する。この補正により、Ident Numberの循環選択を実現する。算出した整数値がたとえば−１であれば８に補正してIdent Numberとして「ＡＵＴＯ」を選択したことになり、算出した整数値が９であれば０に補正してIdent Numberとして「４５８０」を選択したことになる。
【００８６】
Address６３において、Addressの設定可能な範囲は０〜１２５の整数値である。前述において算出した整数値を、選択したAddressの値とする。算出した整数値がたとえば５４であればAddressとして５４を選択したことになる。
【００８７】
前述において算出した整数値が範囲外の場合は補正する。この補正により、Addressの循環選択を実現する。算出した整数値がたとえば−６であればAddressとして１２０を選択したことになり、算出した整数値が１３４であればAddressとして８を選択したことになる。
【００８８】
このように、通信を確立するための基本設定をボタン９とネジ１０の操作のみで伝送器単体で実施でき、現在の設定情報をボタンとネジの操作のみで伝送器単体で把握できることから、設定のための専用機器や、結合器、終端器なども不要であり、伝送器を駆動させるための電源があればよい。
【００８９】
なお、ボタンは、磁力や光などの非接触型の構成であってもよい。
【００９０】
基本的な設定項目には、通信設定だけではなく、上限値、下限値、ダンピング値などの一般設定も含むものとする。
【００９１】
数値列や文字列の設定にあたっては、ボタンを用いた「桁の選択」や、ネジを用いた「桁ごとの設定」も可能である。
【００９２】
また、ネジの操作量に応じて、微調整／粗調整を実現することもできる。なお、本発明で用いるネジは回転操作のためのものであり、締付固定用として用いるものではない。
【００９３】
また、ボタンとスイッチやボタンとネジは独立した構成である必要はなく、たとえば時計のリューズのような一体型であってもよい。
【００９４】
また、ネジの回転操作に基づく回転動作は、回転角度を検出する構成であってもよい。
【００９５】
そして、ボタンによる切替動作は、回転型やスライド型などの操作ボタンを物理的に移動させて切り替える構成であってもよい。
【００９６】
また、上記実施例では、表示部の表示動作を切り替えるための外部から操作可能なスイッチをボタンで操作する例を示しているが、シミュレーションモードの有効化／無効化を切り替えるスイッチや''WRITE_LOCK''の有効化／無効化を切り替えるスイッチも、表示部の表示動作を切り替えるスイッチと同様に外部から操作ボタンで操作できるように構成してもよい。
【００９７】
さらに、たとえば積算機能の有効化／無効化、''LOCAL_OP_ENABLE''の有効化／無効化、診断機能の有効化／無効化、伝送器の計器種類（絶対圧計／圧力計／差圧計）などを切り替えるスイッチも外部から操作ボタンで操作できるように構成してもよい。
【００９８】
また、上記実施例では、測定信号の零点を調整するための外部から操作可能なネジを使用しているが、たとえば通信方式の選択、受信（受圧）感度の設定、プロセス配管の逆接続に応じた受圧方向（HI側、LOW側）の切り替え、積算機能のプリセット値の設定、異常履歴の収集周期などを設定できるネジも、外部から操作できるように構成してもよい。
【００９９】
なお、操作ボタンの操作時間やある単位時間あたりの操作回数などの操作量に応じて、操作機能を切り替えることもできる。たとえば、ボタンを短時間押し下げた場合は「内部処理切替」機能や「設定値選択」機能として動作し、長時間押し下げた場合は「設定値決定」機能として動作させることができる。
【０１００】
以上の説明から明らかなように、本発明によれば、比較的簡単な構成で、設定値の昇順と降順の双方向の切替選択を共通の操作で直感的に行うことができ、数値列の数値の選択と文字列の選択も行える伝送器を提供できる。
【符号の説明】
【０１０１】
８  表示部
９  操作ボタン
１０  ネジ
１１  操作検出部
１２  選択制御部
１３  設定項目文字列格納部
１４  操作検出部
１５  選択制御部
１６  設定項目演算処理部
１７  設定値格納部
【図１】
2014190715.tif 000003
【図２】
2014190715.tif 000004
【図３】
2014190715.tif 000005
【図４】
2014190715.tif 000006
【図５】
2014190715.tif 000007
【図６】
2014190715.tif 000008
【図７】
2014190715.tif 000009